(57)【特許請求の範囲】
【請求項１】
櫛本体と、前記櫛本体の長手方向に直交する向きに前記櫛本体から延出する複数本の櫛歯と、前記櫛歯を囲うように前記櫛本体の長手方向の一端側から前記櫛歯と同方向に延出する中実な一端縁櫛部とを備える櫛において、
前記一端縁櫛部は、先を尖らせた先細形状にして頭髪の分け目の形成が行えるようにしてあり、外縁面の延出方向における先端側と基端側との間の箇所に、前記外縁面にあてがう指と前記外縁面との間で挟まれる分け目に係る毛髪束が広がるような空間を生じさせる窪み部が形成してあることを特徴とする櫛。
【請求項２】
前記櫛本体には、前記長手方向に沿った距離を示す目印が設けてあり、前記一端縁櫛部の外縁面を頭皮にあてがうことで、前記窪み部の両側に残る外縁部分を頭皮に当接させて、前記目印に基づき頭髪の長さ測定が行えるようにしてある請求項１に記載の櫛。
【請求項３】
前記櫛本体の他端側に把持部が形成してあり、
前記把持部には、外縁面に外縁窪み部が形成してあり、
前記把持部の外縁面を頭皮にあてがうことで、前記外縁窪み部の両側に残る外縁部分を頭皮に当接させて、前記目印に基づき頭髪の長さ測定が行えるようにしてある請求項２に記載の櫛。
【請求項４】
前記櫛本体の長手方向における他端側に形成された他端縁櫛部を備え、
前記他端縁櫛部には、先端側と基端側との間における外縁面に、他端窪み部が形成してあり、
前記他端縁櫛部の外縁面を頭皮にあてがうことで、前記他端窪み部の両側に残る外縁部分を頭皮に当接させて、前記目印に基づき頭髪の長さ測定が行えるようにしてある請求項２に記載の櫛。
【請求項５】
前記一端縁櫛部の外縁面は、前記櫛本体の長手方向に対して斜めに形成してある請求項２乃至請求項４に記載の櫛。
【請求項６】
前記一端縁櫛部の外縁面、及び前記他端縁櫛部の外縁面は、それぞれ前記櫛本体の長手方向に対して斜めに形成してあり、
前記一端縁櫛部の外縁面の斜めに係る角度と、前記他端縁櫛部の外縁面の斜めに係る角度とは、相違するようにしてある請求項４に記載の櫛。
【請求項７】
前記櫛本体の一端側からの距離を示す第１目印、及び前記櫛本体の他端側からの距離を示す第２目印が前記櫛本体に設けてある請求項４又は請求項６に記載の櫛。
【請求項８】
第一の距離単位系に応じた第１目印及び第二の距離単位系に応じた第２目印が前記櫛本体に設けてある請求項２乃至請求項７のいずれか１項に記載の櫛。
【請求項９】
前記第１目印は、前記第２目印と相違する印にしてある請求項７又は請求項８に記載の櫛。
【請求項１０】
前記一端縁櫛部には、複数の櫛歯を有する櫛部が設けてあり、前記櫛部の各櫛歯の先端で前記外縁面が形成されるようにしてある請求項１乃至請求項９のいずれか１項に記載の櫛。
【請求項１１】
前記一端縁櫛部の厚みは、先端側に比べて、基端側を大きくしており、
前記一端縁櫛部の基端側の外縁面には、厚み方向に応じた中央箇所に凹部が形成してある請求項１乃至請求項１０のいずれか１項に記載の櫛。
【請求項１２】
前記一端縁櫛部には、先端側と基端側との間における側面の少なくとも一方に、側方窪み部が形成してある請求項１乃至請求項１１のいずれか１項に記載の櫛。
【発明の詳細な説明】
【技術分野】
【０００１】
本発明は、整髪時における頭髪の分け目を作る作業の効率化を図ると共に、頭髪の長さを正確且つ容易に測定可能にして頭髪のカットを補助できるようにした櫛に関する。
【背景技術】
【０００２】
従来、櫛は一般に整髪に使用される以外に、理美容院等ではカット対象の頭髪を選別するのに用いられている。また、理美容院等においては、整髪の際に分け目を形成する（「パーティング」と称される）作業のときに、複数本の櫛歯を用いるのではなく、櫛本体の端部に設けられた先細形状の縁櫛部（櫛歯より太いもの）が用いられることがある。【０００３】
図２３（ａ）は従来の櫛の一例である櫛Ｄ１を示しており、櫛Ｄ１は一端部に、複数本の櫛歯Ｄ１ｂと平行的に突出する先端が尖った縁櫛部Ｄ１ａを設けている。図２３（ｂ）は、縁櫛部Ｄ１ａを用いたパーティングを示しており、頭皮Ｈａにおいて分け目Ｗを作りたい箇所に、縁櫛部Ｄ１ａの先端をあてると共に、櫛Ｄ１を把持しない側の手の指Ｆを縁櫛部Ｄ１ａにあてがって、縁櫛部Ｄ１ａの外方へ分けられた頭髪束を縁櫛部Ｄ１ａと指Ｆとで挟み込み、その状態で分け目Ｗを形成しようとする線に沿って縁櫛部Ｄ１ａを進めることにより、頭皮Ｈａ上における分け目Ｗに沿って所定量の頭髪を順次二つに分けていき、分け目線を形成することになる。【０００４】
一方、従来、複数本の櫛歯を延出する櫛本体に、長さ測定用の目盛を付して、櫛により頭髪の長さを測定できるようにしたものがある（下記の特許文献１〜３参照）。また、下記の特許文献４では、櫛本体又は把持部にドット状の目盛をレーザ光線で焼き形成して、目盛で頭髪の長さを測定できるようにした櫛が開示されている。【０００５】
さらに、下記の引用文献５では、櫛本体の側面に形成した複数の貫通孔の間隔を所定の寸法にして、貫通孔により頭髪の長さ測定を行えるようにした櫛が開示されている。さらにまた、下記の引用文献６では、櫛本体の側面に複数の尖端部を形成し、各尖端部の間隔を所定の寸法にして、尖端部により頭髪の長さ測定を行えるようにした櫛が開示されている。
【先行技術文献】
【特許文献】
【０００６】
【特許文献１】実開昭５７−１２１０４号公報
【特許文献２】特開２００７−３２５８８９号公報
【特許文献３】実開昭５３−１０２７９８号公報
【特許文献４】登録実用新案第３１０７３９９号公報
【特許文献５】実開平６−６６５０４号公報
【特許文献６】特開２００５−３０４７２０号公報
【発明の概要】
【発明が解決しようとする課題】
【０００７】
図２３（ｂ）に示すように、縁櫛部Ｄ１ａの先端で、縁櫛部Ｄ１ａの外方へ分けられた毛髪束は、縁櫛部Ｄ１ａと指Ｆとの間で挟み込まれるが、指Ｆと縁櫛部Ｄ１ａは、縁櫛部Ｄ１ａの外周に沿った広い範囲で対向することから、挟み込まれた所定量の毛髪束は、両者の間で詰まった状態となる。そのため、両者の間で詰まった状態の毛髪束が、縁櫛部Ｄ１ａを進める際の抵抗となり、分け目Ｗを形成しようとする線に沿って縁櫛部Ｄ１ａをスムーズに動かすことの妨げになると云う問題が生じる。また、縁櫛部Ｄ１ａをスムーズに動かせなくなることで、詰まって引っ掛かった状態となった毛髪束の一部が、縁櫛部Ｄ１ａと指Ｆとの間から抜け出て分け目Ｗ付近に残ってしまい、このような残った毛髪部分により、分け目Ｗの境界がぼやけたものとなり、分け目線の見た目の美しさが損なわれるという問題が生じる。【０００８】
一方、頭髪の長さを測定するにあたり、上述した特許文献１〜３で開示されるような目盛が付された櫛を用いることを想定した場合、これらの櫛の縁櫛部の外縁面（櫛全体の先端面となる外周箇所）は、直線的に形成されているか、又は外方へ凸となるように湾曲して形成されていることが一般的である。そのため、例えば、図２４に示すように、頭皮Ｈａから頭髪の長さを測定する際、櫛Ｄ２の一端に設けられた縁櫛部Ｄ２ａの外縁面を頭皮Ｈａあてがうと、曲面的な頭皮Ｈａと、直線的な縁櫛部Ｄ２ａの外周は一点接触的な状態で当接することになり、それにより、測定中の櫛Ｄ２が接触箇所を中心にグラグラと揺れる不安定な姿勢となり（図２４中に示す黒矢印方向に揺れる）、安定した測定を行えないという問題がある。【０００９】
さらに、特許文献４に係る櫛は、そもそも縁櫛部が頭皮にあてがうような形状になっていないため、頭皮から頭髪の長さを測定することに不適である。そして、特許文献５、６に係る櫛は、縁櫛部の外縁面が、いずれも外方へ凸となるように湾曲した形状であるため、縁櫛部の外縁面を頭皮にあてがうと、外方へ凸の曲面同士が当接する状態となり、特許文献１〜３に係る櫛以上に不安定な姿勢となり、安定した測定を行えないという問題がある。【００１０】
また、理容学校や美容学校での実技指導、又は理容・美容の実技検定等では、頭皮から所定の角度で引き出した頭髪を指定された長さでカットする実技課題が出されることがある。この際、頭皮から髪の毛を引き出す角度が変わると、カットの長さも自ずと変わってくることから、頭皮に対して、どのような角度で頭髪を引き出すかは、実技課題において非常に重要な事項となる。しかし、上述した特許文献１〜６に係る櫛では、頭皮に対して頭髪を引き出す角度を測定できないので、上述した実技課題において有効でない。【００１１】
また、一般に櫛の持ち方は、ユーザにより様々であり、指先で櫛本体を左右から挟持するユーザや、指の付け根等を櫛に係止させて持つユーザ等がいる。引用文献６に係る櫛は、頭髪の長さ測定を行えるように櫛本体に設けた尖端部を、指先の滑り止めとして機能させるようにしているが、この尖端部で指の付け根等を係止させることまではできないので、指の付け根等を係止して櫛を持つユーザによっては、使い勝手が十分でないという問題もある。【００１２】
本発明は、斯かる事情に鑑みてなされたものであり、分け目を形成する際、縁櫛部の外縁面に窪み部を形成することで、縁櫛部とユーザの指との間における毛髪束の詰まった状態を緩和して、スムーズにパーティング作業を行えるようにした櫛を提供することを目的とする。
また、本発明は、頭皮からの頭髪長さを測定する櫛において、上述した窪み部により、縁櫛部の外縁面を頭皮にあてがった際、窪み部の両側に残る箇所で二点接触となる状態を確保して櫛の姿勢の安定化を図り、容易に且つ正確に頭髪の長さ測定を行えるようにした櫛を提供することを目的とする。
さらに、上述した窪み部を、正確な長さ測定だけに用いるのではなく、櫛を把持するユーザの指の付け根等の係止にも利用して、使い勝手を向上させた櫛を提供することを目的とする。
【課題を解決するための手段】
【００１３】
上記課題を解決するために本発明に係る櫛は、櫛本体と、前記櫛本体の長手方向の一端側に設けられた一端縁櫛部と、前記櫛本体に設けられた複数本の櫛歯とを備える櫛において、前記一端縁櫛部には、先端側と基端側との間における外縁面に、窪み部が形成してあることを特徴とする。
本発明にあっては、一端縁櫛部の外縁面（櫛全体の一方の先端面に応じた外周箇所）に窪み部を形成することで、一端縁櫛部を用いて頭髪の分け目を形成する際、一端縁櫛部と、その一端縁櫛部にあてがう指との間において、窪み部による空間が生じる。そのため、両者の間で挟み込まれた毛髪束は、窪み部による空間で広がることが可能となり、挟み込まれた状態が緩和され、抵抗感も減少し、一端縁櫛部を分け目を形成する線に沿ってスムーズに進められるようになり、その結果、美しい分け目線を形成できるようになる。【００１４】
本発明に係る櫛は、前記櫛本体には、前記長手方向に沿った距離を示す目印が設けてあり、前記一端縁櫛部の外縁面を頭皮にあてがうことで、前記窪み部の両側に残る外縁部分を頭皮に当接させて、前記目印に基づき頭髪の長さ測定が行えるようにしてあることを特徴とする。【００１５】
本発明にあっては、上述した窪み部を有する一端縁櫛部を設けた櫛本体に、距離測定用の目印を形成したので、櫛全体の一端側の先端面となる一端縁櫛部の外縁面を頭皮にあてがうと、窪み部の両側に残る外周部分が頭皮に当接するので、頭皮に対して二点接触の状態を確保できるようになる。この二点接触状態により、測定時の櫛の姿勢が安定するようになることから、頭髪の長さを正確に測定できるようになる。【００１６】
本発明に係る櫛は、前記櫛本体の他端側に把持部が形成してあり、前記把持部には、外縁面に外縁窪み部が形成してあり、前記把持部の外縁面を頭皮にあてがうことで、前記外縁窪み部の両側に残る外縁部分を頭皮に当接させて、前記目印に基づき頭髪の長さ測定が行えるようにしてあることを特徴とする。【００１７】
本発明にあっては、櫛本体の他端側に把持部を形成し、その把持部の外縁面（櫛全体の他方の端面となる外周箇所）に、窪み部を形成したので、把持部の外周箇所を頭皮にあてがっても、頭皮に対して二点接触の状態を確保できることから、把持部側からでも、安定した姿勢で頭髪の長さ測定を行える。さらに、把持部に形成した窪み部は、指の付け根等の係止部としても機能し、ユーザによる櫛の使い勝手も向上できる。【００１８】
本発明に係る櫛は、前記櫛本体の長手方向における他端側に形成された他端縁櫛部を備え、前記他端縁櫛部には、先端側と基端側との間における外縁面に、他端窪み部が形成してあり、前記他端縁櫛部の外縁面を頭皮にあてがうことで、前記他端窪み部の両側に残る外縁部分を頭皮に当接させて、前記目印に基づき頭髪の長さ測定が行えるようにしてあることを特徴とする。【００１９】
本発明にあっては、櫛本体の他端側に設けた他端縁櫛部の外縁面（櫛全体の他方の端面に応じた外周箇所）にも窪み部（他端窪み部）を形成したので、他端縁櫛部の外周箇所を頭皮にあてがっても、頭皮に対して二点接触の状態を確保できるようになることから、櫛の両端側のいずれを用いても、安定した測定を行えるようになり、ユーザの使い勝手に応じて、櫛のいずれの側からでも頭髪の正確な測定を行える。【００２０】
本発明に係る櫛は、前記一端縁櫛部の外縁面は、前記櫛本体の長手方向に対して斜めに形成してあることを特徴とする。
本発明にあっては、一端縁櫛部の外縁面を斜めに形成したので、頭髪を測定するために、一端縁櫛部の外縁面を頭皮にあてがった場合、曲面の頭皮に係る法線方向に対して櫛は斜めの姿勢となり、頭皮に対して一定の斜めの角度で頭髪の長さを測定できるようになる。そのため、理容学校や美容学校での実技指導、又は理容・美容の実技検定等において、所定の角度で髪の毛を引き出して、所定の長さでカットするような実技課題が出された場合に対応できるように、一端縁櫛部の外縁面の斜めの角度を、実技課題で頻出される角度に設定しておけば、実技課題等に好適な櫛を提供できるようになる。【００２１】
本発明に係る櫛は、前記一端縁櫛部の外縁面、及び前記他端縁櫛部の外縁面は、それぞれ前記櫛本体の長手方向に対して斜めに形成してあり、前記一端縁櫛部の外縁面の斜めに係る角度と、前記他端縁櫛部の外縁面の斜めに係る角度とは、相違するようにしてあることを特徴とする。【００２２】
本発明にあっては、一端縁櫛部と他端縁櫛部のそれぞれの外縁面の斜めの角度を相違するようにしたので、異なる二種類の角度で頭髪の長さ測定を、正確且つ容易に行えるようになる。そのため、両端の縁櫛部の外縁面の角度を、実技課題等で頻出される二種類の角度にそれぞれ設定すれば、実技課題等で非常に有用となる。【００２３】
本発明に係る櫛は、前記櫛本体の一端側からの距離を示す第１目印、及び前記櫛本体の他端側からの距離を示す第２目印が前記櫛本体に設けてあることを特徴とする。【００２４】
本発明にあっては、櫛本体の一端側からの距離を示す第１目印、及び他端側からの距離を示す第２目印を櫛本体に設けたので、第１目印および第２目印を適宜使い分けることで、櫛本体の両側から正確に距離を測定できるようになる。【００２５】
本発明に係る櫛は、第一の距離単位系に応じた第１目印及び第二の距離単位系に応じた第２目印が前記櫛本体に設けてあることを特徴とする。
本発明にあっては、二種類の距離単位系に応じた第１目印及び第２目印を設けたので、二種類の距離単位系に基づく頭髪の長さ測定を、一本の櫛で行えるようになる。なお、二種類の距離単位系の一例としては、第１目印を日本等で用いられることが多いｍｍ（ミリメートル）単位系にすると共に、第２目印を欧米等で用いられることが多いｉｎｃｈ（インチ）単位系にすることなどが好適である。【００２６】
本発明に係る櫛は、前記第１目印は、前記第２目印と相違する印にしてあることを特徴とする。
本発明にあっては、第１目印と、第２目印とを相違する印にしたので、一目で第１目印と、第２目印とを区別できるようになり、二種類の目印がある場合でも、使いたい方の目印に従って頭髪の長さ測定をスムーズに行えるようになる。なお、第１目印と第２目印とを相違する印にする一例としては、第１目印は、櫛本体の背面に複数の凹凸を設けて、凹同士又は凸同士の間隔（ピッチ）を所定の寸法に設定したものにすると共に、第２目印は、櫛本体に複数の貫通孔を形成し、各貫通孔の間隔（ピッチ）を所定の寸法に設定したものにすることなどが考えられる。【００２７】
本発明に係る櫛は、前記一端縁櫛部には、複数の櫛歯を有する櫛部が設けてあり、前記櫛部の各櫛歯の先端で前記外縁面が形成されるようにしてあることを特徴とする。
本発明にあっては、一端縁櫛部の外縁面を形成するように櫛部を設けたので、その櫛部で頭髪をかき分けて一端縁櫛部の外縁面を頭皮へあてがい易くなる。そのため、毛髪量の多い場合や長髪の場合などにおいて、髪の毛に遮られて一端縁櫛部が頭皮へ届きにくいようなときでも、櫛部で頭髪を分けて、一端縁櫛部を確実に頭皮にあてがう（突き当てる）ことができる。【００２８】
本発明に係る櫛は、前記一端縁櫛部の厚みは、先端側に比べて、基端側を大きくしており、前記一端縁櫛部の基端側の外縁面には、厚み方向に応じた中央箇所に凹部が形成してあることを特徴とする。
本発明にあっては、厚みを太くした一端縁櫛部の基端側における厚み方向の中央箇所に凹部を形成したので、窪み部及び凹部の周囲には三箇所の外周部分が残存するようになる。その結果、一端縁櫛部の外縁面を頭皮にあてがうと、残存する三箇所の外縁部分が頭皮に当接して、頭皮に対して三点接触の状態を確保できるようになり、更に櫛の安定した姿勢を確保でき、一段と容易に且つ正確に頭髪の長さを測定できるようになる。【００２９】
本発明に係る櫛は、前記一端縁櫛部には、先端側と基端側との間における側面の少なくとも一方に、側方窪み部が形成してあることを特徴とする。
本発明にあっては、一端縁櫛部の少なくとも一方の側面に側方窪み部を形成したので、側方においても毛髪束が広がるような空間を確保することができ、それにより、一端縁櫛部を動かしてパーティング作業を行う際、一端縁櫛部の先端で分けられた毛髪束が更に詰まりにくくなり、一段とパーティングの作業性を向上でき、作業効率の向上も図れる。なお、側方窪み部は、外縁面の窪み部と連通するように形成すると、一体となった窪み空間を確保でき、挟み込まれた毛髪束の抵抗感を一層減少できるので好適となる。
【発明の効果】
【００３０】
本発明にあっては、一端縁櫛部に窪み部を形成することで、ユーザの指と一端縁櫛部との間の隙間に所定の空間を確保でき、分けられた毛髪束が隙間で詰まることを緩和して、スムーズにパーティング作業を行えるようにすると共に、詰まった毛髪束の一部が分け目に残るような事態が生じることも防止して、美しい分け目を効率よく生成することに役立てられる。【００３１】
本発明にあっては、窪み部を有する一端縁櫛部を延出する櫛本体に、距離測定用の目印を形成したので、櫛先端となる一端縁櫛部の外周箇所を頭皮にあてがうと、窪み部の両側に残る外縁部分が頭皮に当接するので、頭皮に対して二点接触の状態を確保でき、測定時の櫛の姿勢を二点接触状態により安定させて、頭髪の長さを正確に測定できる。
本発明にあっては、櫛本体の他端側に把持部を形成し、その把持部の外周に、窪み部を形成したので、把持部の外周を頭皮にあてがっても、頭皮に対して二点接触の状態を確保でき、把持部側からでも、安定した姿勢で頭髪の長さ測定を行える上、把持部に形成した窪み部を、指の付け根等の係止部として機能させることができ、ユーザによる櫛の使い勝手も向上できる。
本発明にあっては、他端縁櫛部に形成した他端窪み部により、他端側で測定を行うときも、櫛の姿勢を安定にでき、頭髪測定に対する櫛の使い勝手を向上できる。
本発明にあっては、一端縁櫛部の外縁面を斜めに形成したので、その斜めに係る角度で正確な頭髪の長さ測定を行うことができ、理容・美容の学校又は検定等における実技に対して好適な櫛を提供できる。
本発明にあっては、両端の櫛縁部の外縁面の角度を相違させたので、二通りの斜めの角度で正確な頭髪の長さ測定を行うことができる。【００３２】
本発明にあっては、一端側からの距離を示す第１目印、及び他端側からの距離を示す第２目印を櫛本体に設けたので、櫛全長が、どのような寸法であっても、櫛本体の両端のいずれかで測定を行うことで、正確且つ容易に頭髪の長さを測定できる。
本発明にあっては、二種類の距離単位系に応じた第１目印及び第２目印を設けたので、二種類の距離単位系に基づく頭髪の長さ測定を、一本の櫛で行うことができる。
本発明にあっては、第１目印と、第２目印とを相違する印にしたので、一目で二種類の目印を区別できる。【００３３】
本発明にあっては、一端縁櫛部に櫛部を設けたので、その櫛部で頭髪をかき分けて一端縁櫛部の外縁面を頭皮へあてがう（突き当てる）ことができ、正確な頭髪長さの測定に役立てられる。
本発明にあっては、一端縁櫛部の厚みを太くした基端側の中央箇所に凹部を形成し、窪み部及び凹部の周囲には三箇所の外周部分が残存するようにしたので、一端縁櫛部の外縁面を頭皮にあてがうと、頭皮に対して三点接触の状態を確保できるようになり、更に櫛の安定した姿勢を確保でき、一段と容易に且つ正確に頭髪の長さを測定できる。
本発明にあっては、一端縁櫛部の側面の少なくとも一方に側方窪み部を形成したので、側面においても毛髪束の詰まりを解消できる空間を確保でき、一端縁櫛部でパーティング作業を行う際、パーティングの作業性を一段と向上できる。
【図面の簡単な説明】
【００３４】
【図１】本発明の第１実施形態に係る櫛を示す概略斜視図である。
【図２】（ａ）は櫛の長手方向の一端側の詳細を示す正面図、（ｂ）は一端縁櫛部の一端外縁面を示す側面図である。
【図３】本発明に係る櫛の一端縁櫛部を用いたパーティング（分け目形成）作業の概要を示す概略図である。
【図４】（ａ）は櫛の一端縁櫛部を頭皮へ突き当てた状態を示す頭部側方からの概略的な視図であり、（ｂ）は櫛の一端縁櫛部を頭皮へ突き当てた状態を示す頭部前方からの概略的な視図である。
【図５】櫛の一端縁櫛部を頭皮へ突き当てた状態を示す頭部上方からの概略的な視図である。
【図６】櫛の一端縁櫛部を頭皮へ突き当てた状態を示す一端縁櫛部の拡大概略図である。
【図７】把持部を設けた第２実施形態に係る櫛であり、（ａ）は正面図、（ｂ）は把持の仕方の一例を示す要部概略図、（ｃ）は他の把持の仕方を示す要部概略図である。
【図８】棒状の把持部を設けた第３実施形態に係る櫛の正面図である。
【図９】第４実施形態に係る櫛であり、（ａ）は要部を示す正面図、（ｂ）は櫛で位置決めされた理美容用鋏によるカットの状態を示す概略図である。
【図１０】第５実施形態に係る櫛であり、（ａ）は要部を示す平面図、（ｂ）は幅が狭い櫛歯を示す概略図、（ｃ）は幅が広い櫛歯を示す概略図である。
【図１１】第６実施形態に係る櫛を示す概略斜視図である。
【図１２】第６実施形態に係る櫛であり、（ａ）は長手方向の一端側を示す平面図、（ｂ）は長手方向の他端側を示す平面図である。
【図１３】第７実施形態に係る櫛であり、（ａ）は一端側の要部を示す正面図、（ｂ）は櫛部で頭髪をかき分けて頭皮に突き当てた状態を示す概略斜視図である。
【図１４】第８実施形態に係る櫛を示す概略図である。
【図１５】第８実施形態に係る櫛であり、（ａ）は一端縁櫛部を頭皮へ突き当てた状態を示す頭部側方からの概略的な視図であり、（ｂ）は一端縁櫛部を頭皮へ突き当てた状態を示す頭部前方からの概略的な視図である。
【図１６】第８実施形態に係る櫛であり、（ａ）は他端縁櫛部を頭皮へ突き当てた状態を示す頭部側方からの概略的な視図であり、（ｂ）は他端縁櫛部を頭皮へ突き当てた状態を示す頭部上方からの概略的な視図である。
【図１７】第９実施形態に係る櫛であり、（ａ）は長手方向の一端側の要部を示す概略斜視図、（ｂ）は一端縁櫛部の外縁面を示す側面図、（ｃ）は一端側の平面図である。
【図１８】第９実施形態に係る櫛を頭皮に突き当てた状態を示す概略図である。
【図１９】第１０実施形態に係る櫛であり、（ａ）を正面図を示す概略図、（ｂ）は背面図を示す概略図である。
【図２０】第１１実施形態に係る櫛であり、（ａ）を正面図を示す概略図、（ｂ）は背面図を示す概略図である。
【図２１】第１２実施形態に係る櫛であり、（ａ）は櫛の長手方向の一端側の詳細を示す正面図、（ｂ）は一端縁櫛部の一端外縁面を示す側面図である。
【図２２】パーティング作業を行うため、第１２実施形態に係る櫛の一端縁櫛部に指をあてがった状態を示し、（ａ）は櫛上面からの概略視図、（ｂ）は一端外縁面からの概略視図である。
【図２３】（ａ）は従来の櫛の長手方向の一端側を示す正面図、（ｂ）は従来の櫛の一端縁櫛部を用いたパーティング作業の概要を示す概略図である。
【図２４】従来の目盛が付された櫛を、頭皮に突き当てた状態の問題点を示す概略図である。
【発明を実施するための形態】
【００３５】
図１は、本発明の第１実施形態に係る櫛１の全体を概略的に示す斜視図である。本発明の櫛１は、通常の整髪等に用いる以外に、頭髪の分け目の形成、及び頭髪（毛髪束。毛髪パネルとも云う）の長さ測定を行えるようにして、美しい整髪及びカットの補助を行うものである。
【００３６】
図１に示すように、櫛１は、角棒状の櫛本体２における一端側２ａ及び他端部２ｂに、一端縁櫛部３及び他端縁櫛部４をそれぞれ設けており、一端縁櫛部３及び他端縁櫛部４の間で複数本の櫛歯６を櫛本体２から延出するように設けた構成とした合成樹脂製のものである。なお、図１中に示すＸ軸方向は櫛１（櫛本体２）の長手方向に沿った方向であり、Ｘ軸方向に直交するＹ軸方向は櫛歯６及び各縁櫛部３、４の延出方向に沿った方向であり、Ｘ軸方向及びＹ軸方向に直交するＺ軸方向は櫛１（櫛本体２）及び各縁櫛部３、４の厚み方向に沿った方向である（他の図でも同様）。以下、櫛１について詳しく説明する。
【００３７】
図１及び図２（ａ）に示すように、櫛本体２は、Ｚ軸方向に沿って、一方の側面２ｃから他方の側面２ｄへ貫通する貫通孔７を複数形成している。貫通孔７は、Ｘ軸方向に横長の楕円であり、その楕円の周囲には、楕円形状のザクリ部を形成している。なお、第１実施形態においては、貫通孔７の長軸側の内径と短軸側の内径の比を２対１にしており、一例としては長軸側の内径を５ｍｍ（ミリメートル）、短軸側の内径を２．５ｍｍに設定している。
【００３８】
また、図２（ａ）に示すように、櫛本体２の最も一端側２ａに位置する貫通孔７は、その中心が、一端縁櫛部３の外周部（外縁部分の頂部３ｇ）から距離Ｌとなる箇所に形成されており、一端側２ａからの順序が２番目以降となる貫通孔７は、各貫通孔７の中心同士の間隔が、それぞれ距離Ｌとなるように形成されている（なお、最も他端側２ｂに位置する貫通孔７の中心は、一端側と同様に、他端縁櫛部４の外端から距離Ｌとなる箇所に形成されている）。距離Ｌの具体例としては、櫛１をミリメートル単位系の測定で用いる場合、１０ｍｍ等に設定することが好適であり、櫛１をインチ単位系の測定で用いる場合は、１インチ（ｉｎｃｈ）又は０．５インチ等に設定するのが好適である。このような間隔で形成された貫通孔７は、所定の寸法を距離Ｌごとに示す目印（櫛本体２の長手方向に沿った距離を示す目印）に該当する。
【００３９】
櫛本体２は、長手方向において、上述したように各貫通孔７が距離Ｌの間隔で配置される寸法で形成されている。なお、櫛本体２の長手方向２の中央部分２ｅ（図１参照）は、把持部として機能させるために、貫通孔７を形成していない。また、櫛１は、この中央部分２ｅの真ん中を境にして、一端側２ａへ間隔を広くした櫛歯６ａを設けると共に（間隔の一例としては３ｍｍ）、他端側２ｂへ間隔を狭くした櫛歯６ｂを設けている（間隔の一例としては１．５ｍｍ）。なお、一端側の櫛歯６ａの中で、最も一端縁櫛部３よりにいる櫛歯６ｃは、図２（ａ）に示すように、他より全長を短くして、一端縁櫛部３による頭髪の分け目形成の作業（パーティング作業）を行いやすくしている。
【００４０】
図１及び図２（ａ）（ｂ）に示すように、一端縁櫛部３は、先を細く尖らした先細形状であり、櫛本体２に対して直交する方向（Ｙ軸方向に沿った方向）へ櫛本体２の一端側２ａより延出し、櫛歯６を囲って保護する役目を担う。一端縁櫛部３は、Ｙ軸方向に沿った方向において、先細形状の先端３ａ側から、櫛本体２との連結側になる基端３ｂ側への中間的な箇所に湾曲した形状の一端窪み部３ｄを外周部（外縁となる面）に形成している。詳しくは、一端縁櫛部３の一端外縁面３ｃ（Ｘ軸方向を示す矢印の方向から見た面に応じた外周となる外縁部の面）に、円弧状に湾曲した一端窪み部３ｄを形成している。この一端窪み部３ｄに係る曲率は、一般的な人体の頭部における最も小さな曲率箇所より若干小さめにすることが好適であり、図２（ａ）に示す例では曲率半径を２５ｍｍにしている。
【００４１】
一端縁櫛部３は、一端外縁面３ｃに、上述した一端窪み部３ｄを形成することで、Ｙ軸方向においては、一端窪み部３ｄの両側（先端３ａ側と、基端３ｂ側）において、突出した形で外縁部分３ｅ、３ｆがそれぞれ残存する。また、一端外縁面３ｃの先端３ａ側及び基端３ｂ側は湾曲状に形成されており、それにより、一端外縁面３ｃは、Ｙ軸方向において、図２（ａ）に示すように先端３ａの外縁部分３ｅが凸、中間箇所の一端窪み部３ｄが凹、及び基端３ｂの外縁部分３ｆが凸となった連続的な湾曲形状になっている。なお、図２（ａ）に示すように、先端３ａの外縁部分３ｅは、頂部３ｈで最も凸になっており、基端３ｂの外縁部分３ｆは、頂部３ｇで最も凸になっており、これらの頂部３ｇ、３ｈはＸ軸方向で同等の箇所に位置すると共に、これらの頂部３ｇ、３ｈが、上述した櫛本体２の最も一端側２ａに位置する貫通孔７について、一端縁櫛部３の外端からの距離Ｌの基準点になっている。なお、図２（ｂ）において、凹の一端窪み部３ｄと、凸の外縁縁部３ｅ、３ｆとが形成される箇所の境界を区別するために、便宜的に一点鎖線を示しているが、この一点鎖線は仮想線であり、櫛１の一端櫛縁部３において実際に示されているものではない。
【００４２】
また、図１に示す櫛本体２の他端側２ｂに設けた他端縁櫛部４は、櫛本体２の長手方向を中央部分２ｅを中心にして、上述した一端縁櫛部３と対象となるように形成されている。すなわち、他端縁櫛部４は、Ｘ軸方向に沿って外方となる外周に応じた他端外縁面４ｃにおいて、先端４ａから、櫛本体２との連結側になる基端４ｂへの中間的な箇所に他端窪み部４ｄを形成し、その他端窪み部４ｄの両側（先端４ａ側と、基端４ｂ側）に、外縁部分４ｅ、４ｆが、それぞれ残存するようにしている。
【００４３】
図３は、上述した櫛１の一端縁櫛部３で、分け目を形成する状態を示している（なお、図３では、発明のポイントを明確にするため、貫通項７等の図示を省略している）。分け目の形成は、頭皮Ｈａにおいて分け目Ｗを作りたい箇所に、一端縁櫛部３の先端３ａをあてがって、分け目Ｗにおける頭髪を二つに分けて、一端縁櫛部３の外方へ分かれた頭髪を一端縁櫛部３の外周箇所と指Ｆとで挟み込んで分け目を形成していくことになる。本実施形態の櫛１では、一端外縁部３の外周箇所に一端窪み部３ｄが形成されていることから、一端縁櫛部３と指Ｆとの間の空間Ｓが生じる。また、一端縁櫛部３の外周（一端外縁面３ｃ）は、先端３ａ側の外縁部分３ｅ及び基端３ｂ側の外縁部分３ｆが、上述したように凸となることから、一端縁櫛部３にあてがう指Ｆは、これらの凸となる箇所を中心に接触することから、凸となる箇所の前後において、一端縁櫛部３と指Ｆとの間の接触状態は、従来（図２３（ｂ）参照）にくらべて低下している。
【００４４】
そのため、一端縁櫛部３と指Ｆとの間の毛髪束は、一端窪み部３ｄに応じた空間Ｓで自然と広がるようになると共に、先端３ａ側の外縁部分３ｅ及び基端３ｂ側の外縁部分３ｆの凸となる箇所の前後における挟まれ力は従来に比べて弱まる。それにより、両者の間に挟み込まれた毛髪束は、従来のように広い範囲にわたって詰まり気味になることが解消されるので、分け目Ｗを形成しようとする線に沿って一端縁櫛部３を動かそうとする際に、毛髪束の詰まりによる抵抗感が無くなり、一端縁櫛部３をスムーズに動かすことができ、パーティング作業を効率良く行える。また、毛髪束の詰まりを解消することで、一端縁櫛部３で外方に分けた毛髪束から一部の毛髪部分が抜け落ちることも無くなり、明確な分け目Ｗを形成でき、分け目線の見た目の美しさを確保できる。
【００４５】
また、図４（ａ）（ｂ）及び図５は、上述した櫛１を頭髪の長さ測定に使用している状況を示しており、カット対象として、カット練習等に用いられる人頭模型（通常「ウィッグ」と称される。）を用いた例を図示しているが、人体の頭部への使用状況も同様となる。この人頭模型Ｈは、人頭を模した頭部全体に毛髪を植設したものである（なお、図４（ａ）（ｂ）及び図５では、使用状況のポイントを明確にするため、頭部に植設された毛髪全体の図示を省略しており、必要箇所のみの毛髪を示す）。
【００４６】
図４（ａ）は、人頭模型Ｈの側方からの視図であり、櫛本体２の一方の側面２ｃ（図１参照）を人頭模型Ｈの側方と同方向の向きに合わせて測定する場合を示している。測定においては、測定対象となる１０〜５０ｍｍ程度の幅の毛髪束（毛髪パネル）ｈ１、ｈ２、ｈ３を頭部から摘み取り、それらの毛髪束ｈ１、ｈ２、ｈ３の頭皮Ｈａからの長さを、櫛１を用いて測定する。例えば、図４（ａ）に示すように、後頭部寄りに位置する毛髪束ｈ１を測定する場合、頭部から摘み取った毛髪束ｈ１を頭皮Ｈａより立ち上げ、その毛髪束ｈ１に櫛１の櫛本体２を沿わせる。その際、櫛１の一端縁櫛部３の一端外縁面３ｃを人頭模型Ｈにおける毛髪束ｈ１の根元箇所となる頭皮Ｈａへあてがう（突き当てる）。
【００４７】
図６は、櫛１の一端縁櫛部３の一端外縁面３ｃを後頭部付近の頭皮Ｈａへ突き当てた状態の詳細を示している。一端縁櫛部３の一端外縁面３ｃには、上述した一端窪み部３ｄが形成されているので、一端外縁面３ｃを頭皮Ｈａに突き当てると、一端窪み部３ｄの両側の凸となった外縁部分３ｅ、３ｆが頭皮Ｈａに接触する（より詳しく見ると、外縁部分３ｅ、３ｆの頂部３ｈ、３ｇを中心に接触する）。一端窪み部３ｄは、その曲率を一般的な人体の頭部における最も小さな曲率箇所より若干小さめにしているので、一端窪み部３ｄにおいて頭皮Ｈａと隙間が生じ、それにより、両側の外縁部分３ｅ、３ｆが頭皮Ｈａと接触した状態になっている。そのため、櫛１を一端縁櫛部３の一端外縁面３ｃで頭皮Ｈａへ突き当てると、櫛１は、頭皮Ｈａに対して外縁部分３ｅ、３ｆによる二点接触の状態となり、図６中に示した白矢印方向（左右方向）へ櫛１が振れることなく、安定した姿勢を維持することができる（白矢印方向にブレない）。それにより、櫛１は、図２４に示す従来の櫛Ｄ２に比べて、頭髪の長さを正確且つ容易に測定できる（長さ測定は、上述した複数の貫通孔７を距離Ｌごとの目印にして行う）。
【００４８】
なお、図４（ａ）に示す他の毛髪束ｈ２、ｈ３等も、上述した毛髪束ｈ１と同様に測定することが可能である。また、毛髪の測定は、上述したように毛髪束（毛髪パネル）で行う以外に、１本、２本等の本単位で行うことも勿論可能である。
【００４９】
図４（ｂ）は、人頭模型Ｈの前方からの視図であり、櫛本体２の一方の側面２ｃ（図１参照）を人頭模型Ｈの前方となる向きに合わせて測定する場合を示している。この測定においても、測定対象となる毛髪束ｈ１０、ｈ１１、ｈ１２等を頭部から摘み取り、それらの毛髪束ｈ１０、ｈ１１、ｈ１２等に対して、頭皮Ｈａへ一端外縁面３ｃを突き当てた櫛１を沿わせることで、上述した図４（ａ）の場合と同様に測定することができ、図６に示すように一端窪み部３ｄの両側で二点接触の状態を確保し、安定した測定を行える。
【００５０】
図５は、人頭模型Ｈの上方からの視図であり、櫛本体２の一方の側面２ｃ（図１参照）を人頭模型Ｈの上方となる向きに合わせて測定する場合を示している。この測定においても、測定対象となる後頭部付近の毛髪束ｈ２０等を頭部から摘み取り、それらの毛髪束ｈ２０等を櫛１を沿わせることで、上述した図４（ａ）（ｂ）の場合と同様の測定を行える。この場合も、頭皮Ｈａに突き当てた櫛１の一端外縁面３ｃは、図６に示すような二点接触の状態となるので、安定した長さ測定を行うことができる。なお、図４（ａ）（ｂ）、図５は長さ測定の例であり、頭部の別の箇所においても同様な測定が可能である。
【００５１】
また、頭部から掴み出す毛髪の先端位置を正確に確認した場合などには、図５に示すように、テールコームと称されるタイプの櫛１０を組み合わせて用いることが好適である。テールコームの櫛１０は、櫛本体１０ａより棒状の把持部１０ｂを突出したものであり、この把持部１０ｂを、櫛１の貫通孔７に挿入することにより、櫛１及び櫛１０を組み合わせた全体が、Ｌ字状になる。このようにすることで、櫛１の貫通孔７のみで測定する場合に比べて、測定対象の毛髪の毛先と、貫通孔７に挿入された棒状の把持部１０ｂとの位置関係で、毛髪の長さを、より測定しやすくなる。なお、櫛１０の把持部１０ｂの挿入先となる櫛１の貫通孔７は、測定対象の毛髪の長さに応じて、適宜切り替えることになり、一旦、測定して適切で無ければ、適切な位置の貫通孔７に挿入先を変更するようにして測定を行う。このような櫛１０を組み合わせた測定の仕方は、勿論、図４（ａ）（ｂ）にも適用可能であり、寸法を示す目印として貫通孔７を用いる場合は、このような櫛１０を組み合わせた測定の仕方を実現できる点で、従来技術の櫛に付された目盛（特許文献１〜３参照）に比べて優位性がある。
【００５２】
なお、上述した頭髪（毛髪）の長さ測定は、一端縁櫛部３の一端外縁面３ｃを頭皮Ｈａへ突き当てる場合で説明したが、他端縁櫛部３の他端外縁面４ｃを頭皮Ｈａへ突き当てた（あてがった）場合でも、他端窪み部４ｄの存在により、一端外縁面３ｃを頭皮Ｈａへ突き当てる場合と同様に、安定した姿勢で正確な長さ測定を行える。そのため、櫛１のユーザは、櫛１の方向性を気にすることなく、櫛本体２の一端側２ａ又は他端側２ｂのいずれでも長さ測定を行えるので、この点においても、従来技術の櫛（特許文献１〜３参照）に対し優位性がある。
【００５３】
なお、第１実施形態に係る櫛１は、上述した形態に限定されるものではなく、種々の変形例が考えられる。例えば、構成をシンプルにする場合は、他端縁櫛部４の他端外縁面４ｃに他端窪み部４ｄを設けず、従来と同様の形状にして、測定の際は一端縁櫛部３の方のみを頭皮に突き当てる仕様にしてもよい。また、櫛本体２の長手方向における距離を示す目印としては、貫通孔７以外に様々なものを用いることが可能であり、例えば、上述した特許文献１〜３に示される目盛を用いること等も可能である。
【００５４】
図７（ａ）（ｂ）（ｃ）は、本発明の第２実施形態に係る櫛１１を示す。第２実施形態の櫛１１は、櫛本体１２の他端側１２ｂの他端縁櫛部１４からＸ軸方向へ延出するように板状の把持部１５を設けたことが特徴になっており、この把持部１５のＸ軸方向における外端となる外縁面１５ｃに窪み部１５ｄ（外縁窪み部）を形成している。この外縁面１５ｃの窪み部１５ｄは、上述した櫛１の他端縁櫛部４に形成した他端窪み部４ｄと異なる形状であり、円弧形状ではなく、Ｖ字状に深く窪んだ形状になっている。具体的には、窪み部１５ｄの深さ（Ｘ軸方向の深さ）は、Ｙ軸方向における窪み部１５ｄの開口幅に対して、約１：２の比率になっており、一例としては、深さを１５ｍｍ、開口幅を３０ｍｍにしている。なお、把持部１５の外縁面１５ｃにおいて、窪み部１５ｄの両側となる一端１５ａの側及び他端１５ｂの側には、外縁部分１５ｅ、１５ｆが突出するように存在する。
【００５５】
また、櫛１１は、上述した箇所以外について、第１実施形態の櫛１と同等にしており、複数の貫通孔１７を形成すると共に複数本の櫛歯１６を延出した櫛本体１２の一端側１２ａに一端縁櫛部１３を設けており、この一端縁櫛部１３は、Ｙ軸方向に沿った方向における一端外縁面１３ｃで、先端１３ａから基端１３ｂへの中間的な箇所に一端窪み部１３ｄを形成し、その一端窪み部１３ｄの両側に外縁部分１３ｅ、１３ｆを設けている。
【００５６】
このような櫛１１は、まず、一端縁櫛部１３で、図３に示すようなパーティング作業を行える。さらに、一端縁櫛部１３の一端外縁部１３ｃ又は把持部１５の外端部分１５ｃのいずれかを頭皮に突き当てることで、一端窪み部１３ｄ又は窪み部１５ｄの存在により、上述した第１実施形態の櫛１と同等に、長手方向の両端において、安定した長さ測定を行える。さらに、第２実施形態の櫛１１は、把持部１５の窪み部１５ｄを、櫛１１をユーザが把持する際の指等の係止部として利用することもできる。
【００５７】
図７（ｂ）は、窪み部１５ｄを係止部として利用する一例を示し、櫛の持ち方として櫛を厚み方向（Ｚ軸方向）で挟持するように持つタイプのユーザに好適な例である。具体的には、親指と人差し指との間の指の付け根を窪み部１５ｄに押し当てて係止するようにした状態で、把持部１５の両側を挟持する持ち方となっている。この場合、把持部１５ｄの突出する外縁部分１５ａ、１５ｂが親指の付け根の周囲を係止し、親指の引っ掛かりが良くなり、櫛１１が手から落下する等の不具合が生じにくくなる。
【００５８】
また、図７（ｃ）は、櫛の持ち方として櫛を幅方向（高さ方向、Ｙ軸方向）で挟持するように持つタイプのユーザに好適な例であり、人差し指の指の付け根付近を窪み部１５ｄに押し当てて係止するようにした状態で、把持部１５の周囲の両端部を親指及び人差し指で挟持する持ち方となっている。この場合、把持部１５ｄの突出する外縁部分１５ａ、１５ｂが手のひらの縁部分に食い込むように係止するので、櫛１１が手から落下する等の不具合が生じにくくなる。なお、第２実施形態に係る櫛１１は、上述した形態に限定されるものではなく、例えば、櫛本体１２の長手方向における距離を示す目印としては、貫通孔１７に替えて、上述した特許文献１〜３に示される目盛を用いること等が可能である。
【００５９】
図８は、本発明の第３実施形態に係る櫛２１を示しており、第３実施形態の櫛２１は、一般的に、テールコームと称されるタイプのものであり、櫛本体２２の他端側２２ｂに設けた略三角形状の他端縁櫛部２４から棒状の把持部２５を延出したことが特徴になっている。
【００６０】
櫛２１は、上述した箇所以外は、第１実施形態の櫛１と同等の形態になっており、複数の貫通孔２７を形成すると共に複数本の櫛歯２６を延出した櫛本体２２の一端側２２ａに一端縁櫛部２３を設けており、この一端縁櫛部２３は、Ｙ軸方向に沿った方向における一端外縁面２３ｃで、先端２３ａから基端２３ｂへの中間的な箇所に一端窪み部２３ｄを形成し、その一端窪み部２３ｄの両側に外縁部分２３ｅ、２３ｆを形成している。
【００６１】
このような櫛２１では、他端部２２ｂ側の棒状の把持部２５により、従来のテールコームと同様の使い勝手を確保しながら、一端縁櫛部２３の一端窪み部２３ｄにより、上述した第１実施形態の櫛１と同様に、図３に示すようなパーティング作業と、図６に示すような安定した姿勢で正確な長さ測定を行える。なお、第３実施形態の櫛２１でも、距離を示す目印としては、貫通孔２７に替えて、上述した特許文献１〜３等に示される目盛を用いること等が可能である。
【００６２】
図９（ａ）（ｂ）は、本発明の第４実施形態に係る櫛３１を示しており、第４実施形態の櫛３１は、寸法を示す目印に特徴がある。すなわち、櫛３１は、上述した第１実施形態の櫛１と同様に、寸法を示す目印として櫛本体３２に複数の貫通孔３７（第１目印）を形成すると共に、櫛本体３２の上面３２ｆに複数の谷部３８ｂ及び補助谷部３８ｃを形成して、これら谷部３８ｂ及び補助谷部３８ｃも目印（第２目印）にしている。
【００６３】
複数の谷部３８ｂは、複数の貫通孔３７の中心に合わせて形成されており、それにより各谷部３８ｂ同士の間隔は距離Ｌになっている（また、一端縁櫛部３３に最も近い谷部３８ｂから一端縁櫛部３３の外縁までも距離Ｌになっている）。谷部３８ｂは、Ｖ字状の窪んでおり、開口幅と深さとの比率は約１：１であり、一例として開口幅及び深さを約３ｍｍにしている。
【００６４】
また、補助谷部３８ｃは、隣接する谷部３８ｂ同士の中間に位置するように形成されており、補助谷部３８ｃと、谷部３８ｂとの間隔は距離Ｌ／２になっている（また、一端縁櫛部３３に最も近い補助谷部３８ｃから一端縁櫛部３３の外縁までも距離Ｌ／２になっている）。この補助谷部３８ｃも、Ｖ字状の窪みになっているが、深さが上述した谷部３ｂより浅くなっており、一例として、補助谷部３８ｃは開口幅を３ｍｍ、深さを約１．５ｍｍにしている。なお、隣接する谷部３８ｂと補助谷部３８ｃと間には、凸状の山部３８ａが形成されるおり、これら谷部３８ｂ、補助谷部３８ｃ及び山部３８ａからなる凹凸部３８は、指先を櫛本体３２の上面３２ｆに沿わせて櫛を持つタイプのユーザに対して、指先の係止部として役立てることができる。
【００６５】
櫛３１は、上述した箇所以外は、第１実施形態の櫛１と同等であり、例えば、複数本の櫛歯３６を延出した櫛本体３２の一端側に一端縁櫛部３３を設けており、この一端縁櫛部３３は、一端外縁面３３ｃにおいて、一端窪み部３３ｄの両側に外縁部分３３ｅ、３３ｆを形成している。
【００６６】
このような櫛３１では、一端縁櫛部３３の一端窪み部３３ｄにより、上述した第１実施形態の櫛１と同様に、きれいな分け目を形成するパーティング作業と、安定した姿勢で正確な長さ測定を行える。また、櫛３１は、櫛本体３２の上面３２ｆに谷部３８ｂ及び補助谷部３８ｃを形成したので、測定する際、頭髪に沿わし易い櫛本体３２の上面３２ｆで測定を行えるので、より容易に測定が行えると共に、距離Ｌの半分の距離Ｌ／２を補助谷部３８ｃで測定できるので、谷部３８ｂ及び補助谷部３８ｃという二種類の目印で、より詳細に測定が行える。
【００６７】
さらに、図９（ｂ）に示すように、櫛３１は、谷部３８ｂ及び補助谷部３８ｃに、理美容用鋏の刃部の背側となる峰部を係止する（引っ掛ける）ことも可能であり、このように理美容用鋏の峰部を係止すると、頭髪のカットの際、理美容用鋏を谷部３８ｂ又は補助谷部３８ｃで位置決めすることができる。そのため、谷部３８ｂ又は補助谷部３８ｃでカットを行う長さを測定し、その測定した状態で、その測定に係る谷部３８ｂ又は補助谷部３８ｃで理美容用鋏の峰部を係止して理美容用鋏の位置決めを行ってカットを行えば、正確な長さでのカットをスムーズに行える。
【００６８】
なお、第４実施形態に係る櫛３１は、上述した形態に限定されるものではなく、例えば、距離Ｌ／２の測定が不要な場合は、補助谷部３８ｃの形成を省略することも可能であり、また、貫通孔３７の形成も省略可能である。また、櫛３１において、櫛本体３２の他端側には、上述した第１実施形態の櫛１と同様にすることも可能であり、また、上述した第２実施形態の櫛１１と同様に把持部を設けることも可能であり、さらには、上述した第３実施形態の櫛２１と同様に棒状の把持部を設けることも可能である。
【００６９】
図１０（ａ）は、本発明の第５実施形態に係る櫛４１を示しており、第４実施形態の櫛４１は、寸法を示す目印に特徴があり、距離Ｌを示す箇所に位置する櫛歯を幅広の目印櫛歯４６ｂにして、他の一般櫛歯４６ａと区別できるようにしている。なお、櫛４１は、一端縁櫛部及び他端縁櫛部については第１実施形態と同様の構成である。
【００７０】
すなわち、図１０（ｂ）に示すように、一般櫛歯４６ａは、最も幅の広い箇所の寸法をＷ１にしており、一方、図１０（ｃ）に示すように、目印櫛歯４６ｂは、最も幅の広い箇所の寸法をＷ２にしており（Ｗ１＜Ｗ２）、このＷ２という寸法は、櫛本体４２の厚み寸法（Ｚ軸方向の寸法）より大きくしている。それにより、図１０（ａ）に示すように、櫛本体４２の上面４２ｆから見た状態では、目印櫛歯４６ｂは、櫛本体４２の両方の側面４２ｃ、４２ｄより飛び出るようになり、それにより、距離Ｌごとの位置を目印櫛歯４６ｂで確認できる。なお、櫛本体４２の一端部４２ａ側に最も近い目印櫛歯４６ｂは、外縁の頂部４３ｇからの距離が距離Ｌになっている。
【００７１】
このように、第５実施形態の櫛４１は、櫛本体４２の側面４２ｃ、４２ｄより突出する目印櫛歯４６ｂにより、距離Ｌ単位の測定を行えるので、櫛本体４２の側面に貫通孔を形成することを省略できると共に、図９（ａ）に示す櫛本体４２の上面の谷部等の形成も省略できる。さらに、突出する目印櫛歯４６ｂは、目視だけでなく、指先等の触感により距離Ｌの長さ間隔を確かめられるので、距離を確認する際、一々目視することなく、触感だけで長さの概要を把握できるというメリットがある。なお、第５実施形態の櫛４１においても、櫛本体４２の他端側は、上述した第４実施形態で述べた各種変形例の適用が可能である。
【００７２】
図１１は、本発明の第６実施形態に係る櫛５１を示しており、第６実施形態の櫛５１も、寸法を示す目印に特徴があり、櫛本体５２の一方の側面５２ｃに設けた第１目印と、他方の側面５２ｄに設けた第２目印を異なる単位系の目印にすることで、二通りの単位系に基づく測定を一本の櫛５１で対応できるようにしている。
【００７３】
図１１、図１２（ａ）（ｂ）に示すように、櫛５１は、櫛本体５２の一方の側面５２ｃに、複数の凸部５８ａ及び凹部５８ｂからなる湾曲部５８を形成している。各凸部５８ａ同士の間隔は、距離Ｌ１になっており（図１２（ａ）参照）、櫛本体５２の一端側５２ａに設けられた一端縁櫛部５３の一端外縁面５３ｃの頂部５３ｇに最も近い凸部５８ａは、その頂部５３ｇからの寸法も距離Ｌ１になっている。距離Ｌ１は、第１の距離単位系としてミリメートル単位系の寸法に応じたものになっており、一例としては１０ｍｍに設定されている。なお、湾曲部５８の凸部５８ａが第１目印（櫛５１の一端外縁面５３ｃからの距離を示す目印）に該当する（また、隣接する凸部５８ａと凹部５８ｂの間隔はＬ１／２である）。
【００７４】
また、櫛５１は、櫛本体５２の他方の側面５２ｄに、複数の凸部５９ａ及び凹部５９ｂからなる湾曲部５９を形成している。各凸部５９ａ同士の間隔は、距離Ｌ２になっており（図１２（ｂ）参照）、櫛本体５２の他端側５２ｂに設けられた他端縁櫛部５４の他端外縁面５４ｃの頂部５４ｇに最も近い凸部５９ａは、その頂部５４ｇからの寸法が距離Ｌ２になっている。この距離Ｌ２は、第２の距離単位系としてインチ単位系の寸法に応じたものになっており、一例としては１インチに設定されている。なお、湾曲部５９の凸部５９ａが第２目印（櫛５１の他端外縁面５４ｃからの距離を示す目印）に該当する（また、隣接する凸部５９ａと凹部５９ｂの間隔はＬ２／２である）。
【００７５】
なお、櫛５１の櫛本体５２の長手方向の寸法は、１０ｍｍ単位および１インチ単位に、丁度応じた単位寸法になっていない（ｍｍ又はインチで端数が生じる寸法になっている）。そのため、櫛本体５２の一方の側面５２ｃにおいて、他端縁櫛部５４の他端外縁面５４ｃの頂部に最も近い凸部５８ａは、櫛本体５２の全長寸法の関係上、他端外縁面５４ｃの頂部５４ｇからの寸法が距離Ｌ１になっていない。同様に、櫛本体５２の他方の側面５２ｄにおいて、一端縁櫛部５３の一端外縁面５３ｃの頂部に最も近い凸部５９ａは、櫛本体５２の全長寸法の関係上、一端外縁面５３ｃの頂部５３ｇからの寸法が距離Ｌ２になっていない。
【００７６】
また、櫛５１は、図１１に示すように、櫛本体５２の一端側５２ａに一端縁櫛部５３を設けており、この一端縁櫛部５３は、上述した第１実施形態の櫛１と同様に、一端外縁面５３ｃに形成した一端窪み部５３ｄの両側に外縁部分５３ｅ、５３ｆを設けている。また、櫛本体５２の他端側５２ｂに設けた他端縁櫛部５４は、他端外縁面５４ｃに形成した他端窪み部５４ｄの両側に外縁部分５４ｅ、５４ｆを設けている。なお、櫛本体５２は、長手方向の中央箇所５２ｅにフラットは把持部を形成すると共に、上面５２ｆもフラットにしているが、図９（ａ）（ｂ）の第４実施形態に係る櫛３１のように谷部（補助谷部）及び山部を設け、谷部の間隔を上記距離Ｌ１又は距離Ｌ２のいずれかに合わせて形成するようにしてもよく、さらには第３目印として第３の距離間隔（距離Ｌ３）を示す目印にしてもよい。
【００７７】
このような櫛５１は、二種類の単位系に基づく長さ測定を行うことできることが特徴となる。すなわち、一端縁櫛部５３の一端外縁面５３ｃを頭皮にあてがうと、櫛本体５２の一方の側面５２ｃに形成した湾曲部５８の凸部５８ａ又は凹部５８ｂにより、距離Ｌ１又はＬ１／２単位（ｍｍ単位）に基づく長さ測定を行うことできる。さらに、他端縁櫛部５４の他端外縁部５４ｃを頭皮にあてがうと、櫛本体５２の他方の側面５２ｄに形成した湾曲部５９の凸部５９ａ又は凹部５９ｂにより、距離Ｌ２又はＬ２／２単位（インチ単位）に基づく長さ測定を行うことできる。なお、このような測定においても、一端窪み部５３ｄ及び他端窪み部５４ｄにより、測定時の櫛５１の姿勢を安定させることができ、正確に長さを測定できる。また、第６実施形態に係る櫛５１も、各窪み部５３ｄ、５４ｄにより、図３に示すようなパーティング作業を好適に行える。
【００７８】
なお、第６実施形態に係る櫛５１は、上述した形態に限定されるものではなく、二種類の目印には、凸部５８ａ、凸部５９ａの少なくとも一方の替わりに、上述した図１等に示す貫通孔、図９（ａ）に示す櫛本体上面に設けた谷部、図１０に示す幅広の櫛、又は従来の目盛等を適宜用いることも可能である。なお、櫛本体側面に設ける凸部５８ａ、凸部５９ａの目印は、上述の第１〜５実施形態の櫛１等に適用することも可能である。
【００７９】
図１３（ａ）（ｂ）は、本発明の第７実施形態に係る櫛６１を示しており、第７実施形態の櫛６１は、基本的な部分は第１実施形態の櫛１と同等であるが、一端縁櫛部６３には、複数の櫛歯６９ａを有する櫛部６９を設けたことが特徴になっている。この櫛部６９は、各櫛歯６９ａの先端の位置を示す軌跡Ｋ（図１３（ａ）中、一点鎖線Ｋで示す）で一端外縁面６３ｃを形成している。すなわち、一端外縁面６３ｃは、第１実施形態の櫛１の一端外縁面３ｃと同等の形状となるように、一端窪み部６３ｄに応じた箇所の櫛歯６９ａを短くして、凹状の箇所を形成すると共に、外縁部分６３ｅ、６３ｆに応じた箇所の櫛歯６９ａは長くして、各先端が飛び出て凸状の外縁部分６３ｅ、６３ｆを形成するようにしている。
【００８０】
上述したように櫛部６９を構成することで、各櫛歯６９ａの先端を、図４、５等に示すように頭部の頭皮Ｈａに突き当てても、図1等に示す櫛１と同様に、二点接触の状態を確保して毛髪（毛髪束）の長さ測定を行える。なお、各櫛歯６９ａは、頭皮Ｈａに突き当てられることから、人体の頭部に使用されることを考慮すると、先端を尖った形状にするのではなく、ある程度の丸みを帯びた形状にすることが好ましい。また、各櫛歯６１ａの歯長は、図１３（ａ）に示す例では短いもので約５ｍｍ、長いもので約８ｍｍにしているが、この歯長に限定されるものではなく、約１ｍｍから約１０ｍｍ程度の数値範囲が適用可能であり、特に櫛機能（毛髪を掻き分ける機能）を確実に発揮させたい場合は、３ｍｍ以上の歯長を確保することが好ましい。なお、櫛本体６２は、通常の櫛歯６６も当然、備えている。
【００８１】
図１３（ｂ）は、櫛６１の使用状況を示す概略斜視図である。櫛６１は、一端縁櫛部６３に櫛部６９を有するので、毛髪の長さ測定を行う場合に、頭皮Ｈａへ一端外縁面６３ｃを突き当てる際、櫛部６９の各櫛歯６９ａで毛髪束ｈ４０、ｈ４１を掻き分けることができる。また、掻き分けた毛髪束ｈ４０、ｈ４１を構成する個々の毛髪は、各櫛歯６９ａの間に入り込むので、各櫛歯６９ａの先端を頭皮Ｈａへ接することができる。それにより、櫛６１は、毛髪量が多い頭部の毛髪（毛髪束）を測定する場合でも、櫛部６９での毛髪の掻き分けにより、一端外縁面６３ｃ（外縁部分６３ｅ、６３ｆに応じた各櫛歯６９ａの先端）を確実に頭皮へ突き当てて毛髪長さを正確に測定できる。
【００８２】
なお、第７実施形態に係る櫛６１において、測定に係る目印としては、上述した各実施形態に係るものを適宜用いることができる。また、櫛部６９の各櫛歯６９ａは、可撓性をもたせてしなるようにすれば、ある程度、頭皮の形状に沿うことから、各櫛歯６９ａの先端が、直線状に揃うように形成してもよい。さらに、第７実施形態に係る櫛６１も、窪み部６３ｄにより、図３に示すようなパーティング作業を好適に行える。
【００８３】
図１４は、本発明の第８実施形態に係る櫛７１を示しており、第８実施形態の櫛７１は、櫛本体７２の一端側７２ａに設けた一端縁櫛部７３の外周側となる一端外縁面７３ｃをＸ軸方向に対して約４５度傾斜させた形状にすると共に、他端側７２ｂに設けた他端縁櫛部７４の外周側となる他端外縁面７４ｃをＸ軸方向に対して約２２．５度傾斜させた形状にしたことが特徴である。
【００８４】
すなわち、一端縁櫛部７３は、一端外縁面７３ｃがＸ軸方向に対して４５度傾斜した傾斜線Ｋ１に沿って斜めに形成されており、それにより、一端縁櫛部７３の全体的な形状は、三角形的な形状になっている。また、一端縁櫛部７３は、先端７３ａ側の外縁部分７３ｅと、基端７３ｂ側の外縁部分７３ｆとの間に一端窪み部７３ｄを形成している。
【００８５】
また、他端縁櫛部７４は、他端外縁面７４ｃがＸ軸方向に対して２２．５度傾斜した傾斜線Ｋ２に沿って斜めに形成されており、それにより、他端縁櫛部７４の全体的な形状も、鋭角的な三角形的な形状になっている。また、他端縁櫛部７４は、先端７４ａ側の外縁部分７４ｅと、基端７４ｂ側の外縁部分７４ｆとの間に、他端窪み部７４ｄを形成している。
【００８６】
なお、櫛７１は、第１実施形態の櫛１と同様に、櫛本体７２に距離を示す目印となる複数の貫通孔７７を形成しているが、一端縁櫛部７３及び他端縁櫛部７４が三角形的な形状であり、第１実施形態の場合に比べて広い面積になっていることから、一端縁櫛部７３及び他端縁櫛部７４にも貫通孔７７を形成している。さらに、櫛７１は、櫛本体７２の上面７２ｆに、貫通孔７７の中心に合わせて凸部７８を形成しており、各凸部７８も距離を示す目印になっている。これらの目印は、一端外縁部７３ｃからの距離を示すと共に、他端外縁部７４ｃからの距離を示すものになっている。なお、櫛本体２は長手方向の中央箇所７２ｅの側面及び上面７２ｆをフラットに形成して把持部にしている。
【００８７】
図１５（ａ）（ｂ）は、第８実施形態の櫛７１を人頭模型Ｈに使用した状況を示している。なお、図１５（ａ）（ｂ）においては、使用状況のポイントを明確にするため、植設した頭髪全体の図示を省略している。
【００８８】
図１５（ａ）は、人頭模型Ｈの側方からの視図であり、一端縁櫛部７３の一端外縁面７３ｃを頭皮に突き当てた場合を示す。例えば、人頭模型Ｈの後頭部の首寄り付近に植設された毛髪束の長さを測定する場合、櫛７１は、櫛歯７６が上を向くような姿勢で一端縁櫛部７３を頭皮にあてがうことになる。ここで、人頭模型Ｈの後頭部の首寄り付近の頭皮Ｈａは、図１５（ａ）に示すように左下がりとなった斜めの下向き湾曲面であり、このような下向き湾曲面の頭皮Ｈａに、４５度に傾斜した一端外縁部７３ｃ突き当てると、櫛７１は略水平方向の姿勢となり、一端窪み部７３ｄにより、この姿勢を安定させることができる。
【００８９】
また、人頭模型Ｈの頂部の後寄り又は前寄り植設された毛髪束の長さを測定する場合は、一端縁櫛部７３の４５度に傾斜した一端外縁面７３ｃを頭皮に突き当てると、櫛７１は略鉛直方向の姿勢となり、この場合も、一端窪み部７３ｄにより、この姿勢を安定させることができる。
【００９０】
なお、測定時において櫛７１の姿勢が略水平方向又は略鉛直方向になることは、ユーザ（美容師又は理容師等）の方向感覚にマッチした目安として使いやすくなる。すなわち、ユーザ（美容師又は理容師等）は、カット又はセット等の作業を行う際、矩形状の鏡の枠の縦線又は横線若しくはキャビネットの縦線又は横線などのように、作業を行う周囲に存在する鉛直方向を表す線又は水平方向を表す線を、無意識的に略鉛直方向又は略水平方向の目安にしている。そのため櫛７１は、一端外縁部７３ｃを頭部へ突き当てた状態の姿勢を略水平方向又は略鉛直方向にできるので、上述したユーザの周囲に存在する目安となる鉛直方向の縦線又は水平方向の横線と向きが揃うので、ユーザの方向感覚にマッチし、実際的な使い勝手に有効となる（図１５（ａ）（ｂ）参照）。
【００９１】
図１５（ｂ）は、人頭模型Ｈの前方からの視図であり、櫛７１の一端外縁面７３ｃを頭皮に突き当てた状態を示す。この場合も、人体模型の左右側頭部及び頂部の右寄り及び左寄りの付近に植設された毛髪束の長さを測定する際の櫛７１の姿勢が略水平方向又は略鉛直方向となるので、ユーザの感化にマッチすると共に、一端窪み部７３ｄにより、その姿勢を安定させることができる（なお、図１５、１５は毛髪の図示を省略している）。
【００９２】
さらに、一般に、理容学校や美容学校での実技指導、又は理容・美容の実技検定等では、頭皮から髪の毛を引き出す角度を約４５度にして、所定の長さでカットする旨の実技課題が出されることがあり、図１５（ａ）（ｂ）に示す櫛７１の測定の仕方は、このような実技課題にマッチしたものとなる。
【００９３】
また、図１６（ａ）は、人頭模型Ｈの側方からの視図であり、図１６（ｂ）は、人頭模型Ｈの上方からの視図であり、いずれも他端縁櫛部７４の他端外縁面７４ｃを頭皮Ｈａに突き当てた場合を示している。この場合も、２２．５度に傾斜した他端外縁面７４ｃにより、頭皮Ｈａに対して２２．５度傾斜した方向で頭髪の長さ測定を行うことができ、また、他端窪み部７４ｄにより、測定時の姿勢を安定させることができる。さらに、理容学校や美容学校での実技指導、又は理容・美容の実技検定等では、頭皮から髪の毛を引き出す角度を約２２．５度にしてカットする旨の実技課題が出されることもあるので、図１６（ａ）（ｂ）に示す櫛７１の測定の仕方は、このような実技課題等にマッチしたものになる。以上のように、第８実施形態の櫛７１は、一本で二通りの傾斜角度に従った長さ測定を行える点がメリットである。
【００９４】
なお、第８実施形態に係る櫛７１は、上述した形態に限定されるものではなく、一端外縁面７３ｃ及び他端外縁面７４ｃに係る斜めの角度として、他の数値を適用することも勿論可能である。また、仕様を簡易化する場合は、一端外縁部７３ｃ又は他端外縁部７４ｃのいずれか一方を、従来と同様の構成にすることも可能であり、この場合は、一方の斜めになった外縁面により、斜めの角度で頭髪長さ測定を行える。また、第８実施形態の櫛７１においても、目印には上述した各実施形態のものを適宜、用いることが可能である。さらに、第８実施形態に係る櫛７１は、一端縁櫛部７３の一端窪み部７３ｄにより、図３に示すようなパーティング作業も好適に行える。
【００９５】
図１７（ａ）は、本発明の第９実施形態に係る櫛８１を示している。第９実施形態の櫛８１は、複数本の櫛歯８６を延出した櫛本体８２の一端側８２ａに設けた一端縁櫛部８３の基端８３ｂ側の外縁部分８３ｆにおいて、凹部８３ｉを形成したことが特徴になっている。なお、一端縁櫛部８３の基本的な形状自体は、第１実施形態の櫛１と同等であり、一端外縁面８３ｃにおけるＹ軸方向に沿った中央箇所に一端窪み部８３ｄを形成すると共に、先端８３ａ及び基端８３ｂに凸状の外縁部分８３ｅ、８３ｆを設けている。
【００９６】
図１７（ｂ）に示すように、一端縁櫛部８３は、Ｚ軸方向に応じた厚み寸法が、先端８３ａ側より基端８３ｂ側の方を大きくしており、先端８３ａの厚み寸法をＷ１２、基端８３ｂの厚み寸法をＷ１１にしている（Ｗ１１＞Ｗ１２）。
【００９７】
そして、図１７（ａ）（ｂ）（ｃ）に示すように、基端８３ｂ側の一端外縁面８３ｃにおける外縁部分８３ｆの厚み方向（Ｚ軸方向）に応じた中央箇所に凹部８３ｉを形成している。この凹部８３ｉにより、基端８３ｂの外縁部分８３ｆは、二つに分断された形状になっている。
【００９８】
図１８は、一端縁櫛部８３の一端外縁部８３ｃを頭皮Ｈａに突き当てた状態を示している。この場合、上述したように、基端８３ｂの外縁部分８３ｆは凹部８３ｉにより二つに分断されているので、先端８３ａの外縁部分８３ｅと合わせて、計三箇所で頭皮Ｈａと接触することになる。その結果、櫛８１は、三点接触の状態を確保でき、第１実施形態の櫛１の図６で説明した方向（Ｙ軸方向）でのブレを防ぐと共に、図１８の白矢印で示す厚み方向（Ｚ軸方向）のブレも防ぐことができ、より安定した姿勢を維持できる。それにより、櫛本体８２に設けた複数の貫通孔８７により頭髪の長さ測定を、一段と正確に行うことができる。
【００９９】
なお、第９実施形態に係る櫛８１において、測定に係る目印としては、上述した各実施形態に係るものを適宜用いることができる。また、櫛本体８２の他端側の構成としては、上述した第１実施形態〜第３実施形態に係るものを適宜、用いることが可能である。また、上述した第１実施形態に係る櫛１から第９実施形態に係る櫛８１の各部の構成は、適宜組み合わせることも可能である。さらに、第９実施形態に係る櫛８１も、一端縁櫛部８３の一端窪み部８３ｄにより、図３に示すようなパーティング作業を好適に行える。
【０１００】
図１９（ａ）（ｂ）は、第１０実施形態に係る櫛９１を示し、複数の貫通孔９７を形成した櫛本体９２の一方の側面９２ｃ及び他方の側面９２ｄのそれぞれに、目盛９８、９９を付したことが特徴になっている。目盛９８、９９は、１０ｍｍ間隔の長い線と、各長い線同士の間で５ｍｍの寸法を示す短い線より構成されており、櫛本体９２の一端側９２ａ及び他端側９２ｂの両側より寸法が測れるように、一端側９２ａ及び他端側９２ｂの両端からの寸法を示すように各長い線及び短い線が付されている。なお、櫛本体９２に形成した貫通孔９７の中心は、目盛９８、９９の１０ｍｍ間隔を示す長い線に合う位置となっており、各貫通孔９７も１０ｍｍ間隔を示す目印として機能する。また、櫛９１は、櫛本体９２の一端側９２ａ及び他端側９２ｂに、一端窪み部９３ｄを形成した一端縁櫛部９３、他端窪み部９４ｄを形成した他端縁櫛部９４を設けて、いずれの側でも、図３に示すようなパーティング作業を行えると共に、安定した頭髪測定を行えるようにしている（他端縁櫛部９４は、直近の櫛歯が短いので、特にパーティング作業を行いやすくなっている）。
【０１０１】
図２０（ａ）（ｂ）は、第１１実施形態に係る櫛１０１を示し、第１０実施形態の櫛９１と目盛の形態が異なるものである。すなわち、櫛本体１０２の一方の側面１０２ｃ及び他方の側面１０２ｄのそれぞれに、目盛１０８、１０９を付しており、目盛１０８、１０９は共に、櫛本体１０２の一端１０２ａ側から寸法を測るようになっている。また、目盛１０８、１０９は、第１０実施形態のように細かい寸法（１０ｍｍ、５ｍｍ）を計測するのではなく、実技検定や、実際の美容院等における作業等で一般的によく使われる寸法（２ｃｍ、４ｃｍ、６ｃｍ、１０ｃｍ等）のみを示すものになっており、必要な所要寸法を一目で見分けやすい目盛の示し方になっている。なお、櫛１０１は、櫛本体１０２の一端側１０２ａ及び他端側１０２ｂに、一端窪み部１０３ｄを形成した一端縁櫛部１０３、他端窪み部１０４ｄを形成した他端縁櫛部１０４を設けて、いずれの側でも、図３に示すようなパーティング作業を好適に行えるようにしている（他端縁櫛部９４は、直近の櫛歯が短いので、特にパーティング作業を行いやすくなっている）。
【０１０２】
図２１（ａ）（ｂ）は、第１２実施形態に係る櫛１１１を示している。この櫛１１１は、櫛本体１１２の一端１１２ａ側に設けた一端縁櫛部１１３の側面１１３ｊ、１１３ｋに、側方窪み部１１３ｍ、１１３ｎを形成したことが特徴になっている。
【０１０３】
一端縁櫛部１１３は、まず、上述した第１実施形態の櫛１等と同様に、一端外縁面１１３ｃに一端窪み部１１３ｄを形成している。また、一端縁櫛部１１３は、櫛本体１１２の一方の側面１１２ｃと同方向となる側面１１３ｊにおいて、先端１１３ａ側と、基端１１３ｂ側との間の中央箇所に一方の側方窪み部１１３ｍを形成している（一方の側方窪み部１１３ｍは、Ｚ軸方向（厚み方向）に沿って窪んでいる）。さらに、一端縁櫛部１１３は、櫛本体１１２の他方の側面１１２ｄと同方向となる側面１１３ｋにおいて、先端１１３ａ側と、基端１１３ｂ側との間の中央箇所に他方の側方窪み部１１３ｎを形成している（他方の側方窪み部１１３ｎも、Ｚ軸方向（厚み方向）に沿って窪んでいる）。
【０１０４】
一端外縁面１１３ｃの一端窪み部１１３ｄ、一方の側面１１３ｊの側方窪み部１１３ｍ、及び他方の側面１１３ｋの側方窪み部１１３ｎは、Ｙ軸方向において同じ箇所に形成されており、それにより、各窪み部１１３ｄ、１１３ｍ、１１３ｎは相互に連通するような形態になっている。したがって、一端縁櫛部１１３は、先端１１３ａ側と、基端１１３ｂ側との間の中央箇所において、一端外縁面１１３ｃ、一方の側面１１３ｊ、及び他方の側面１１３ｋの三方の周囲でくびれた形状になっている。なお、第１２実施形態に係る櫛１１１は、上述した箇所以外は、第１実施形態の櫛１等と同等の形態になっている。
【０１０５】
図２２（ａ）（ｂ）は、櫛１１１の一端縁櫛部１１３を用いて、パーティング作業を行う場合の一例を示したものである。パーティング作業を行う際、一端縁櫛部１１３にあてがう指を、ユーザによっては、一端外縁面１１３ｃだけでなく、一端外縁面１１３ｃから一方の側面１１３ｊへと二面にわたってあてがうユーザや、一端外縁面１１３ｃから他方の側面１１３ｋへと二面にわたってあてがうユーザや、さらには一端外縁面１１３ｃ、一方の側面１１３ｊ、及び他方の側面１１３ｋの三面にあてがうユーザ等がいる。このような様々な指のあてがい方は、利き腕が右か、左か、ユーザの指の太さ、ユーザの櫛の把持の仕方の嗜好等によって生じる。
【０１０６】
図２２（ａ）（ｂ）は、上述した様々な指のあてがい方の中で、一端外縁面１１３ｃから一方の側面１１３ｍへと二面にわたってあてがう例を示したものであり、図２２（ａ）は櫛上方からの視図、図２２（ｂ）は一端外縁面１１３ｃからの視図である。パーティング作業を行う場合、頭皮Ｈａに形成しようとする分け目Ｗに、先端１１３ａを当てた一端縁櫛部１１３にあてがう指Ｆは、一端外縁面１１３ｃから一方の側面１１３ｊへと二面にわたる二面を被うようにして、一端縁櫛部１１３により外方へ分けられた毛髪束を、一端縁櫛部１１３の周囲二面と指Ｆとで挟み込むことになる。一端縁櫛部１１３の二面で、指Ｆとの間に挟み込まれた毛髪束は、一端窪み部１１３ｄ及び一方の側方窪み部１１３ｍで形成される空間で自然と広がる。
【０１０７】
また、一端縁櫛部１１３の二面では、一端窪み部１１３ｄ及び一方の側方窪み部１１３ｍの両側となる先端１１３ａ側と基端１１３ｂ側のそれぞれの箇所（Ｙ軸方向において両側となる箇所）は、凸となるので、ユーザの指Ｆは、これらの凸となる箇所を中心に接触することから、指Ｆと一端縁櫛部１１３の外周面との間には隙間が生じ、この隙間が存在することで、両者に挟み込まれた毛髪束は詰まり気味になることも緩和される。
【０１０８】
以上のことから、一端縁櫛部１１３と指Ｆとの間の毛髪束は、従来のようにＹ軸方向に沿った広い範囲にわたって詰まり気味になることもなく、分け目Ｗを形成しようとする線に沿って、例えば、図２２（ａ）に示す矢印の向きへ一端縁櫛部１１３を動かそうとする際、従来に比べて毛髪束の詰まりによる抵抗感が一段と無くなり、一端縁櫛部１１３をスムーズに動かすことができる。それに伴い、一端縁櫛部１１３で外方に分けた毛髪束から一部の毛髪部分が抜け落ちる事態も生じなくなり、明確な分け目Ｗを形成できる。
【０１０９】
図２２（ａ）（ｂ）に基づく内容は一例であり、一端外縁面１１３ｃから他方の側面１１３ｋへと二面にわたって指をあてがう場合、一端外縁面１１３ｃ、一方の側面１１３ｊ、及び他方の側面１１３ｋの三面に指をあてがう場合も同様に、毛髪束の詰まりによる抵抗感を緩和してスムーズに一端縁櫛部１１３を動かして効率的なパーティング作業を行える。なお、第１２実施形態の櫛１１１は、上述した内容以外は、第１実施形態の櫛１等と同等の機能を確保しており、一端縁櫛部１１３の一端外縁面１１３ｃを頭皮に突き当てて、頭髪の長さを正確に測定することも勿論可能である。
【０１１０】
また、第１２実施形態に係る櫛１１１は、一端縁櫛部１１３の両方の側面１１３ｊ、１１３ｋのいずれか一方のみに側方窪み部１１３ｍ、１１３ｎを形成する構成にすることも可能である。側面１１３ｊ、１１３ｋのいずれか一方のみに側方窪み部を形成した場合は、その側方窪み部を形成した側の側面１１３に指をあてがってパーティング作業を行うユーザについて好適となると共に、一端縁櫛部１１３の厚み方向（Ｚ軸方向）の寸法が両側面１１３ｊ、１１３ｋに側方窪み部１１３ｍ、１１３ｍを形成する場合に比べて太くなるので、一端縁櫛部１１３の剛性を確保しやすい。
【０１１１】
さらに、第１２実施形態に係る櫛１１１は、上述した第１〜１１実施形態の構成及び変形例等も適用可能であり、例えば、長さ測定に必要な目印については、上述した様々な形態が適用できる。さらに、第１２実施形態の櫛１１１は、櫛本体１１２の他端側の他端縁櫛部においても、上述した側方窪み部を形成した一端縁櫛部１１３と同等の構成にしてもよく、このようにすることで、両隊のいずれの櫛縁部を用いても、良好にパーティング作業を行うことができる。
【産業上の利用可能性】
【０１１２】
本発明は、櫛を整髪だけでなく、美しい分け目を効率よく生成するパーティング作業に用いること、及び、毛髪（毛髪束）の長さ測定を正確に行って、正確な毛髪カットの補助にも利用できるようにしたことに対して好適に利用可能である。
【符号の説明】
【０１１３】
１  櫛
２  櫛本体
３  一端縁櫛部
３ｃ  一端外縁面
３ｄ  一端窪み部
３ｅ、３ｆ  外縁部分
４  他端縁櫛部
４ｃ  他端外縁面
４ｄ  他端窪み部
４ｅ、４ｆ  外縁部分
７  貫通孔
１５  把持部
３８  凹凸部
３８ａ  山部
３８ｂ  谷部
５８、５９  湾曲部
６９  櫛部
８３ｉ  凹部
１１３ｍ、１１３ｎ  側方窪み部
【図１】
0005690976.tif 000002
【図２】
0005690976.tif 000003
【図３】
0005690976.tif 000004
【図４】
0005690976.tif 000005
【図５】
0005690976.tif 000006
【図６】
0005690976.tif 000007
【図７】
0005690976.tif 000008
【図８】
0005690976.tif 000009
【図９】
0005690976.tif 000010
【図１０】
0005690976.tif 000011
【図１１】
0005690976.tif 000012
【図１２】
0005690976.tif 000013
【図１３】
0005690976.tif 000014
【図１４】
0005690976.tif 000015
【図１５】
0005690976.tif 000016
【図１６】
0005690976.tif 000017
【図１７】
0005690976.tif 000018
【図１８】
0005690976.tif 000019
【図１９】
0005690976.tif 000020
【図２０】
0005690976.tif 000021
【図２１】
0005690976.tif 000022
【図２２】
0005690976.tif 000023
【図２３】
0005690976.tif 000024
【図２４】
0005690976.tif 000025